(57)【要約】【課題】結束バンドを確実に位置決めしてバンド掛けが行え、ダンボール箱からの梱包物の抜き出しも容易に行える梱包具を提供する。【解決手段】梱包物１の外面を覆う当て板２と、梱包物１の外周に巻かれて梱包物１を左右２箇所で前記当て板２を介して結束する２本の結束バンド３とを備えている。当て板２は、前記梱包物１の下面を受ける底板６と、底板６の前後端に折り曲げ自在に連設されて立ち上がる側板７・７と、前後の側板７・７から連設されて梱包物１の上面側に折り曲げられる第１・第２の上板８ａ・８ｂとを含む。第１上板８ａには、これの左右端に結束バンド３を内面側に通すための切欠９がそれぞれ形成されている。梱包物１の外周を２本の結束バンド３で結束したとき、前記切欠９より先端側に連出された第１上板８ａのフラップ１０が、各結束バンド３の上側にそれぞれ被さっている。【選択図】図２
2007153384.tif 000002
【特許請求の範囲】
【請求項１】
梱包物の外面を覆う当て板と、前記梱包物の外周に巻かれて前記梱包物を前記当て板を介して結束する結束バンドとを備えており、
前記当て板は、前記梱包物の下面を受ける底板と、前記底板の前後端に折り曲げ自在に連設されて立ち上がる側板と、前後の前記側板から連設されて前記梱包物の上面側に折り曲げられる第１および第２の上板とを含み、
一方の前記第１上板には、これの左右の少なくとも一側方に、前記結束バンドを内面側に通すための切欠が形成されていることを特徴とする梱包具。
【請求項２】
梱包物の外面を覆う当て板と、前記梱包物の外周に巻かれて前記梱包物を左右２箇所で前記当て板を介して結束する２本の結束バンドとを備えており、
前記当て板は、前記梱包物の下面を受ける底板と、前記底板の前後端に折り曲げ自在に連設されて立ち上がる側板と、前後の前記側板から連設されて前記梱包物の上面側に折り曲げられる第１および第２の上板とを含み、
前記第１上板には、これの左右に前記結束バンドを内面側に通すための切欠がそれぞれ形成されており、
前記梱包物の外周を２本の前記結束バンドで結束したとき、前記切欠より先端側に連出された前記第１上板のフラップが、前記各結束バンドの上側にそれぞれ被さっていることを特徴とする梱包具。
【請求項３】
前記当て板の前記両側板には、前記両側板を起立させた状態において上下に位置する平行な折り線の複数本がそれぞれ入っている請求項１または２記載の梱包具。
【請求項４】
前記第１上板の連出端が、前記第２上板の連出端の上にオーバーラップしている請求項１ないし３のいずれかに記載の梱包具。
【請求項５】
前記切欠が、Ｕ字状に凹み形成されている請求項１ないし４のいずれかに記載の梱包具。
【請求項６】
前記フラップにおける前記切欠を有する側の側縁が、円弧状となっている請求項１ないし５のいずれかに記載の梱包具。
【請求項７】
前記梱包物が、多数の電子部品を収容する複数枚のトレーを上下に積層した積層物である請求項１ないし６のいずれかに記載の梱包具。
【発明の詳細な説明】
【技術分野】
【０００１】
本発明は、梱包物を緩衝用の当て板を介してバンド掛けして結束する梱包具に関する。
【背景技術】
【０００２】
この種の梱包具に特許文献１がある。そこでは、複数枚の平板を上下に積層してこれの前後面に当て板を配し、その外周を結束バンドで結束している。また、コイン型電池（ボタン型電池）、コイン型電気二重層コンデンサ、ＬＳＩまたは水晶振動子等の電子部品の輸送などに際しては、多数の電子部品を収納できる専用のトレーが使用されている。これらの梱包に際しては、図８に示すように複数枚のトレー１ａを積層してこれの外周囲にダンボール製の当て板２をあてがい、当て板２の外側を結束バンド３で結束したうえで、ダンボール箱に詰め込んでいる。
【０００３】
【特許文献１】特開平１０−３５６０９号公報（図７）
【発明の開示】
【発明が解決しようとする課題】
【０００４】
従来の梱包具にみる当て板は、単なる四角形状に形成して、結束バンドを単に当て板の外周面に添って結束していたに過ぎない。したがって、結束バンドで結束する際に、その位置決めが容易ではなく、等間隔に結束バンドを配して均一に締結力を分散させることが困難であった。応々にして結束バンドを斜めに巻回してしまい、締結力が緩むことがあった。結束バンドに指を引っ掛ける部分がないので、ダンボール箱に詰め込んだ状態でこれから梱包物を取り出すのが困難であった。
【０００５】
そこで本発明の目的は、確実に位置決めしてバンド掛け作業が行え、ダンボール箱からの梱包物の取り出しも容易に行える梱包具を提供するにある。
【課題を解決するための手段】
【０００６】
本発明に係る梱包具は、図１および図２に示すごとく梱包物１の外面を覆う当て板２と、梱包物１の外周に巻かれて梱包物１を当て板２を介して結束する結束バンド３とを備えている。当て板２は、梱包物１の下面を受ける底板６と、底板６の前後端に折り曲げ自在に連設されて立ち上がる側板７・７と、前後の前記側板７・７から連設されて梱包物１の上面側に折り曲げられる第１および第２の上板８ａ・８ｂとを含む。そして、両上板８ａ・８ｂのうち一方の第１上板８ａには、これの左右の少なくとも一側方に、結束バンド３を内面側に通すための切欠９が形成されていることを特徴とする。
【０００７】
更に具体的に説明すると、前記第１上板８ａには、これの左右に２本の結束バンド３を内面側に通すための切欠９・９がそれぞれ形成されており、梱包物１の外周を２本の結束バンド３で結束したとき、前記切欠９より先端側に連出された第１上板８ａのフラップ１０が、各結束バンド３の上側にそれぞれ被さっている。
【０００８】
前記当て板２の両側板７・７には、これらを起立させた状態において上下に位置する平行な折り線Ｌ２の複数本をそれぞれ形成することができる。
【０００９】
その際、第１上板８ａはこれの連出端が図２に示すごとく第２上板８ｂの連出端の上にオーバーラップするよう寸法設定すること、切欠９をＵ字状に凹み形成すること、およびフラップ１０における切欠９を有する側の側縁を円弧状することが望まれる。
【００１０】
梱包物１としては、多数の電子部品を収容する複数枚のトレー１ａを上下に積層した積層物が代表例として挙げられる。
【発明の効果】
【００１１】
本発明によれば、梱包物１を当て板２を介して結束バンド３で結束したとき、梱包物１の上面側に折り曲げられる両上板８ａ・８ｂのうち一方の第１上板８ａには、結束バンド３を内面側に通すための切欠９が設けられている。したがって、結束バンド３を外側方から案内して切欠９の内奥端に突き当てれば、結束バンド３による結束位置を確実に位置決めできる。
【００１２】
梱包物１の外周を結束バンド３で締め上げた状態においても、梱包物１の上面において第１上板８ａの連出端部（フラップ１０）は結束バンド３で拘束されずに浮き離れているので、該当の連出端部に指先を入れるなり、つかむなりして、詰め込んだダンボール箱１２から梱包物１を雑作なく取り出すことができる。
【００１３】
当て板２の両側板７・７に複数本の折り線Ｌ２が形成されていると、第１・第２上板８ａ・８ｂの折り曲げ位置を梱包物１の上下高さ寸法に対応させて手軽に変えることができて、汎用性が高まる。
【００１４】
梱包物１上に第１・第２の上板８ａ・８ｂを折り重ねたとき、切欠９を有する第１上板８ａが第２上板８ｂの上面にオーバーラップする状態で結束されていると、前記切欠９より先端側に位置する第１上板８ａの連出端部（フラップ１０）の存在により、梱包物１の上面外側は完全に覆われるので、梱包物１と他物との接触や塵埃等からよく保護することができる。したがって、多数の精密電子部品などを収容する複数枚のトレー１ａを積層状態で梱包するのに有意義である。
【００１５】
切欠９がＵ字状に形成されていると、フラップ１０をつかんだ際の切欠９部分への応力集中を避けられ、破損防止に有利である。
【００１６】
梱包物１を結束するに際し、結束バンド３は左右方向外側から切欠９を介してフラップ１０の内面側を通すように巻き掛ける。このときフラップ１０の両端を円弧状としていれば、結束バンド３をフラップ１０の側縁に引っ掛かることなくスムーズに通すことができる。
【発明を実施するための最良の形態】
【００１７】
（実施例１）  図１ないし図６は、本発明に係る梱包具の実施例１を示しており、扁平な角形を呈するであろう梱包物１と、梱包物１の左右を除く外周囲を包むダンボール製の当て板２と、梱包物１を当て板２を介して結束するＰＰ製の結束バンド３とを備えている。梱包物１としては、図４に示すごとく、多数のコイン型電池４を個別に収容した複数枚のプラスチック製のトレー１ａを上下に積層した形態を予測している。
【００１８】
図１の展開状態において、前後方向に長い当て板２は、梱包物１の下面を受ける四角形状の底板６と、底板６の前後端に第１の折り線Ｌ１・Ｌ１を介して折り曲げ自在に連設されて上方に立ち上がる前後一対の側板７・７と、前後の側板７・７から連設されて梱包物１の上面側に第２の折り線Ｌ２・Ｌ２を介して重なるように折り曲げられる第１および第２の上板８ａ・８ｂとからなる。両折り線Ｌ１・Ｌ２は、当て板２の目、すなわち中芯の波形と平行に形成されている。
【００１９】
説明の都合上、前方側に位置させた第１上板８ａには、これの左右にＵ字状の切欠９がそれぞれ相対向状に凹み形成されている。符号１０は、左右の前記切欠９を介して第１上板８ａの連出先端側に形成したフラップである。このフラップ１０は第１上板８ａとほぼ同一の左右幅寸法を有する。
【００２０】
図１および図３において当て板２の両側板７・７には、左右方向に走る平行な複数（図面では５本）の第２の折り線Ｌ２がそれぞれ入っている。すなわち、第１の折り線Ｌ１と選ばれた第２の折り線Ｌ２との間が各側板７を構成し、選ばれた第２の折り線Ｌ２の連出端側が第１・第２の上板８ａ・８ｂとなる。
【００２１】
第１・第２の上板８ａ・８ｂは、梱包物１の高さに応じて第２の折り線Ｌ２を介して内折りされる。厚さ３mmのＢフルートダンボールを使用した当て板２は、前後長さを７７２mm、左右幅寸法を３１９mmに設定し、第２の折り線Ｌ２は１6.５mm間隔で入れた。
【００２２】
図４において、梱包物１を構成する各トレー１ａは、多数の収容室１１が等間隔置きに凹み形成されたプラスチック成形品であり、各収容室１１にこれの上方からコイン型電池４を入れた状態でトレー１ａの複数枚が上下に積層される。トレー１ａ群の最上段には、蓋材として機能する空トレー１ｂを重ね置く。
【００２３】
梱包に際しては、当て板２の底板６の上面に梱包物１（トレー群）を置く。底板６の前後長さ寸法および左右幅寸法は、それぞれ各トレー１ａのそれらにほぼ一致している。したがって、左右側板７・７を第１の折り線Ｌ１・Ｌ１を介して上向きの起立姿勢に折り曲げると、底板６および両側板７・７で梱包物１は前後左右に位置ズレすることなく仮置きできる。
【００２４】
そのうえで、両側板７・７の高さ寸法が梱包物１の厚み寸法にほぼ一致するよう、第１・第２の上板８ａ・８ｂを第２の折り線Ｌ２・Ｌ２を介して内折りする。その際に、第１上板８ａは第２上板８ｂ上に一部オーバーラップする状態でセットし、結束バンド３で当て板２の全体を結束することになる。
【００２５】
両上板８ａ・８ｂにバンド掛けをするに際し、各結束バンド３は左右の外側方から切欠９を介して第１上板８ａの切欠９を含む連出端部の内側、すなわちフラップ１０の内面側を通すように巻き掛ける。
【００２６】
図２および図３は、結束バンド３で梱包物１を結束した状態を示しており、当て板２は梱包物１の左右側面を除く前後面および上下面の全体を覆っている。すなわち、２本の各結束バンド３の中間を第１上板８ａの各切欠９の内奥端に左右外側方から突き当たるよう案内することにより、各結束バンド３は梱包物１に対して左右方向の位置決めを図る。
【００２７】
ここで注目すべきは、各結束バンド３は切欠９を介してフラップ１０の内面側に通されており、第１上板８ａのフラップ１０が結束バンド３の上側に被さって結束されておらず、自由状態とした点にある。
【００２８】
具体的には、各結束バンド３の一端を当て板２の底板６の下面に通し、他端を底板６の下面から後方に回して第２上板８ｂの上面外側に引き出す。このとき、各結束バンド３は、左右の外側方から各切欠９を介して各フラップ１０の下面側に滑り込ませ、各切欠９の内奥で各結束バンド３の左右方向の位置決めを図る。
【００２９】
かくして、公知の結束機を用い、梱包物１の外周２箇所を２本の結束バンド３で結束したとき、図２に示すごとく第１上板８ａのフラップ１０は、第２上板８ｂの連出端の上面に一部がオーバーラップした状態において、結束されずに梱包物１上に接合下で浮き離れている。
【００３０】
結束された梱包物１のいくつかは、図５に示すごとく既存のダンボール箱１２に詰め込んで輸送する。隙間なく詰め込んだダンボール箱１２から梱包物１を取り出す際は、図６に示すごとく前記切欠９に臨む結束バンド３の内側下面に指先を差し込むことにより、ダンボール箱１２から梱包物１を容易に引き出せる。このとき、両手でフラップ１０をつかんで梱包物１を引き出すことも可能である。
【００３１】
（実施例２）  ひとつの梱包物１に対して結束バンド３は１本掛けでもよい。図７はその場合の一例を示しており、この実施例２における梱包物１は、実施例１のそれよりも小型であることを予想している。
【００３２】
具体的には、梱包物１の上面において、図７の前方側に位置する第１上板８ａは後ろ側の第２上板８ｂの上方に折り重なっている。第１上板８ａには、実施例１と同様の切欠９およびフラップ１０がそれぞれ左側方にのみ形成されており、１本の結束バンド３は梱包物１の左右方向中央部位において前後向きに巻かれ切欠９を介してフラップ１０の内面側に潜り込むよう通されている。他の構成は実施例１と実質的に同一であるから、同一部材には同一符号を付して説明を割愛する。
【００３３】
これらの実施例でも判るように、前後左右の位置関係は相対的なものに過ぎない。梱包物１の上下高さが定型的な場合には、先の第２折り線Ｌ２は１条入れておくだけで足りる。当て板２は、左右側面を含む梱包物１の外面全体を覆う形態にしてもよい。
【図面の簡単な説明】
【００３４】
【図１】当て板を展開した状態での平面図
【図２】結束状態での平面図
【図３】図２のＡ−Ａ線断面図
【図４】構成部材の斜視図
【図５】ダンボール箱への梱包物の収納要領を説明する斜視図
【図６】ダンボール箱からの梱包物の取り出し要領を説明する斜視図
【図７】実施例２の平面図
【図８】従来例の縦断正面図
【符号の説明】
【００３５】
１  梱包物
１ａ  トレー
２  当て板
３  結束バンド
６  底板
７  側板
８ａ  第１上板
８ｂ  第２上板
９  切欠
１０  フラップ
１２  ダンボール箱
Ｌ１  第１の折り線
Ｌ２  第２の折り線
【図１】
2007153384.tif 000003
【図２】
2007153384.tif 000004
【図３】
2007153384.tif 000005
【図４】
2007153384.tif 000006
【図５】
2007153384.tif 000007
【図６】
2007153384.tif 000008
【図７】
2007153384.tif 000009
【図８】
2007153384.tif 000010